(57)【要約】【課題】  多くの半紙を収納してもＵ字型への折り曲げおよびＵ字型の維持が容易で、持ちやすく、容易に書道バッグと別個に持ち運ぶことができる半紙収納具を提供することを目的とする。また、この半紙収納具に不織布や新聞紙に挟んだ半紙を収納しても膨れ上がることのない書道バッグを提供することをも目的とする。【解決手段】  半紙収納具において、可撓性を有する複数枚の透明シート１と、可撓性を有し、透明シート１よりも分厚いホルダーシート２と、を備え、透明シート１の一端は、ホルダーシート２に固定されている。【選択図】          図１
0003102751.tif 000002
【実用新案登録請求の範囲】
【請求項１】
可撓性を有する複数枚の透明シートと、
可撓性を有し、前記透明シートよりも分厚いホルダーシートと、
を備え、
前記透明シートの一端は、前記ホルダーシートに固定されている、
ことを特徴とする半紙収納具。
【請求項２】
請求項１に記載の半紙収納具において、さらに、前記ホルダーシートの一端と他端とを留める留め具を備えることを特徴とする半紙収納具。
【請求項３】
前記留め具は、マジックテープ（登録商標）であることを特徴とする請求項２に記載の半紙収納具。
【請求項４】
前記ホルダーシートの面積は、前記透明シートの面積よりも大きいことを特徴とする請求項１に記載の半紙収納具。
【請求項５】
請求項１に記載の半紙収納具において、前記ホルダーシートは、握持部を具備することを特徴とする半紙収納具。
【請求項６】
請求項１〜請求項５のいずれか１項に記載の半紙収納具が収納された第１の開閉部分を具備する第１の収納部と、
書道用具が収納された第２の開閉部分を具備する第２の収納部と、
を備えることを特徴とする書道バッグ。
【請求項７】
前記第１の収納部と前記第２の収納部とは、ファスナーによって開閉されることを特徴とする請求項６に記載の書道バッグ。
【考案の詳細な説明】
【技術分野】
【０００１】
本考案は、半紙を収納できる半紙収納具およびこの半紙収納具を収納できる書道バッグに関する。
【背景技術】
【０００２】
小学生や中学生は、習字の授業などで書き上げた作品（半紙）を、不織布や新聞紙の間に挟んで書道バッグに収納することが多い。しかし、不織布や新聞紙に半紙を挟んだ場合、半紙の墨によって他の書道用具が汚染されるおそれは低減するものの、半紙に折り目や皺がつくおそれがある。
そこで、従来、折り目や皺をつけることなく半紙を書道バッグに収納すべく、可撓性を有する複数枚の樹脂シートを綴じ合わせたファイルが提案された（特開２００１−２２５５８２号公報）。
【考案の開示】
【考案が解決しようとする課題】
【０００３】
しかしながら、上記従来のファイルは、厚さがすべて同じ樹脂シートによって構成されている。したがって、上記従来のファイルに多くの半紙を収納してＵ字型に折り曲げることは、困難である。また、多くの半紙が収納された上記従来のファイルをＵ字型の状態に維持することも、困難である。
【０００４】
また、上記従来のファイルは、面積がすべて同じ樹脂シートによって構成されている。したがって、上記従来のファイルには、持ちにくいという問題があった。
【０００５】
また、上記従来のファイルは、厚さ・面積がすべて同じ樹脂シートによって構成されており、かつ、これら複数枚の樹脂シートは一端が綴じあわされているに過ぎない。したがって、上記従来のファイルを書道バッグとは別個に持ち運ぼうとすると、半紙がすぐに地面に落ちてしまう。よって、上記従来のファイルは、書道バッグと別個に持ち運ぶことができなかった。
【０００６】
また、上記従来のファイルを収納するバッグは、内袋を備えているものの、この内袋は、１つの開閉部分を具備する１つの収納部に備え付けられている。したがって、上記従来のファイルと筆や硯などは、結局、同じ開閉部分を介して１つの収納部に収納される。よって、上記従来のバックでは、狭いスペースに２つ折りの状態でファイルが収納されるため、ファイルや半紙に折れ目がつくという問題があった。
【０００７】
また、上記従来のファイルを収納するバッグでは、上記従来のファイルと筆や硯などが１つの収納部に収納されるため、不織布や新聞紙に半紙を挟んだものをファイルに挟んで収納することができないという問題もあった。
【０００８】
そこで、本考案は、かかる事情に鑑み、多くの半紙を収納してもＵ字型への折り曲げおよびＵ字型の維持が容易で、持ちやすく、容易に書道バッグと別個に持ち運ぶことができる半紙収納具、およびこの半紙収納具を備えた書道バッグを提供することを目的とする。
【課題を解決するための手段】
【０００９】
本考案によれば、上記課題は、次の手段によって、解決される。
【００１０】
第１の考案は、可撓性を有する複数枚の透明シートと、可撓性を有し、前記透明シートよりも分厚いホルダーシートと、を備え、前記透明シートの一端は、前記ホルダーシートに固定されている、ことを特徴とする半紙収納具である。
【００１１】
第２の考案は、第１の考案に係る半紙収納具において、さらに、前記ホルダーシートの一端と他端とを留める留め具を備えることを特徴とする半紙収納具である。
【００１２】
第３の考案は、前記留め具は、マジックテープ（登録商標）であることを特徴とする第２の考案に係る半紙収納具である。
【００１３】
第４の考案は、前記ホルダーシートの面積は、前記透明シートの面積よりも大きいことを特徴とする第１の考案に係る半紙収納具である。
【００１４】
第５の考案は、第１の考案に係る半紙収納具において、前記ホルダーシートは、握持部を具備することを特徴とする半紙収納具である。
【００１５】
第６の考案は、第１の考案〜第５の考案のいずれか１つに係る半紙収納具が収納された第１の開閉部分を具備する第１の収納部と、書道用具が収納された第２の開閉部分を具備する第２の収納部と、を備えることを特徴とする書道バッグである。
【００１６】
第７の考案は、前記第１の収納部と前記第２の収納部とは、ファスナーによって開閉されることを特徴とする第６の考案に係る書道バッグである。
【考案の効果】
【００１７】
本考案に係る半紙収納具においては、複数枚の透明シートがこの透明シートよりも分厚いホルダーシートに固定される。したがって、多くの半紙を収納する場合であっても、本考案に係る半紙収納具は、Ｕ字型へ容易に折り曲げることができ、また、このＵ字型は、容易に維持することができる。
【００１８】
本考案に係る半紙収納具おいては、ホルダーシートの一端と他端とが、留め具によって留められる。また、本考案に係る半紙収納具おいては、ホルダーシートの一端側の一部と他端側の一部とに握持部がある。したがって、本考案に係る半紙収納具は、容易に書道バッグと別個に持ち運ぶことができる。
【００１９】
本考案に係る半紙収納具においては、透明シートの枚数を４枚以上とすることができる。したがって、本考案に係る半紙収納具には、多くの半紙を分別収納することができる。
【００２０】
本考案に係る書道バッグによれば、半紙収納具を第１の開閉部分を介して第１の収納部に収納する一方で、書道用具を第２の開閉部分を介して第２の収納部に収納することができる。
【００２１】
また、本考案に係る書道バッグによれば、半紙収納具と筆や硯などの書道用具とが、別々の収納部に収納されるため、不織布や新聞紙に挟んだ半紙を収納しても、書道バッグが膨れ上がるということがない。
【考案を実施するための最良の形態】
【００２２】
以下に、添付した図面を参照しつつ、本考案を実施するための最良の形態を詳細に説明する。
【００２３】
図１は、本考案の実施の形態に係る半紙収納具を広げた様子を示す図である。
図１に示すように、本考案の実施の形態に係る半紙収納具は、可撓性を有する透明シート１と、可撓性を有するホルダーシート２と、留め具３と、握持部４と、を備えている。図１に示すように、透明シート１と透明シート１との間や、透明シート１とホルダーシート２との間には、半紙１１を挟むことができる。
【００２４】
透明シート１には、透明で可撓性を有するものであれば何を用いてもよいが、たとえば、ＰＶＣ（硬質の塩化ビニル）などを用いることができる。
ホルダーシート２は、透明シート１よりも分厚い。このホルダーシート２は、可撓性を有し、透明シート１よりも分厚いものであれば何を用いてもよいが、たとえば、ＰＰ（ポリプロピレン）を用いることができる。
留め具３には、ホルダーシート２をＵ字型に折り曲げた際に、ホルダーシート２の一端と他端とを留めることができるものであれば何を用いてもよいが、たとえば、マジックテープ（登録商標）を用いることができる。
握持部４は、ホルダーシート２を握持できるのであれば、どのように作成してもよいが、たとえば、ホルダーシート２の一端と他端とを手が入る程度にくり貫くことによって作成することができる。
【００２５】
図２は、Ｕ字型に折り曲げられた本考案の実施の形態に係る半紙収納具を横斜め上から見た図であり、図３は、Ｕ字型に折り曲げられた本考案の実施の形態に係る半紙収納具を正面から見た図である。
上述したように、本考案の実施の形態に係る半紙収納具は可撓性を有する。したがって、図２や図３を見れば分かるように、本考案の実施の形態に係る半紙収納具をＵ字型に折り曲げても、半紙に折り目や皺が付くことはない。
【００２６】
なお、ホルダーシート２の一端と他端とを手が入る程度にくり貫くことによって握持部４を作成した場合には、たとえば、図１や図３に示すように、留め具３をくり貫いた部分１２に通すことができる。このようにすれば、握持部４を握持した際に留め具３が手にあたるということがないため、半紙収納具をより容易に持ち運ぶことができる。
【００２７】
図４は、本考案の実施の形態に係る書道バッグに、本考案の実施の形態に係る半紙収納具と筆や硯や墨液などの書道用具とを収納する様子を示す図である。
図４に示すように、本考案の実施の形態に係る書道バッグは、第１の収納部５と第２の収納部６とを備えている。第１の収納部５には、第１の開閉部分７を介して半紙収納具を収納することができる。また、第２の収納部６には、第２の開閉部分８を介して、筆や墨液などの書道用具１３が収納される。
【００２８】
なお、図４に示す第１の開閉部分７や第２の開閉部分８は、それぞれファスナー９、１０によって開閉されるが、本考案は、第１の開閉部分７や第２の開閉部分８の開閉手段を限定するものではない。したがって、本考案においては、第１の開閉部分と第２の開閉部分を、収納部を開閉できるあらゆる手段によって開閉することができる。
【産業上の利用可能性】
【００２９】
本考案によれば、多くの半紙を収納してもＵ字型への折り曲げおよびＵ字型の維持が容易で、持ちやすく、容易に書道バッグと別個に持ち運ぶことができる半紙収納具、および、この半紙収納具に不織布や新聞紙に挟んだ半紙を収納しても膨れ上がることのない書道バッグを提供できる。よって、本考案によれば、小学生や中学生などが、書道の授業などで書き上げた作品（半紙）を皺にならずに自宅へ持ち帰ることができるようになる。
【図面の簡単な説明】
【００３０】
【図１】本考案の実施の形態に係る半紙収納具を広げた様子を示す図である。
【図２】Ｕ字型に折り曲げられた本考案の実施の形態に係る半紙収納具を横斜め上から見た図である。
【図３】Ｕ字型に折り曲げられた本考案の実施の形態に係る半紙収納具を正面から見た図である。
【図４】本考案の実施の形態に係る書道バッグに、本考案の実施の形態に係る半紙収納具と筆や硯などの書道用具とを収納する様子を示す図である。
【符号の説明】
【００３１】
１    透明シート
２    ホルダーシート
３    留め具
４    握持部
５    第１の収納部
６    第２の収納部
７    第１の開閉部分
８    第２の開閉部分
９    ファスナー
１０    ファスナー
１１    半紙
１２    くり貫いた部分
１３    書道用具
【図１】
0003102751.tif 000003
【図２】
0003102751.tif 000004
【図３】
0003102751.tif 000005
【図４】
0003102751.tif 000006
【手続補正書】
【提出日】平成16年2月25日(2004.2.25)
【手続補正１】
【補正対象書類名】実用新案登録請求の範囲
【補正対象項目名】請求項３
【補正方法】変更
【補正の内容】
【請求項３】
前記留め具は、面ファスナーであることを特徴とする請求項２に記載の半紙収納具。
【手続補正２】
【補正対象書類名】明細書
【補正対象項目名】００１２
【補正方法】変更
【補正の内容】
【００１２】
第３の考案は、前記留め具は、面ファスナーであることを特徴とする第２の考案に係る半紙収納具である。
【手続補正３】
【補正対象書類名】明細書
【補正対象項目名】００２４
【補正方法】変更
【補正の内容】
【００２４】
透明シート１には、透明で可撓性を有するものであれば何を用いてもよいが、たとえば、ＰＶＣ（硬質の塩化ビニル）などを用いることができる。
ホルダーシート２は、透明シート１よりも分厚い。このホルダーシート２は、可撓性を有し、透明シート１よりも分厚いものであれば何を用いてもよいが、たとえば、ＰＰ（ポリプロピレン）を用いることができる。
留め具３には、ホルダーシート２をＵ字型に折り曲げた際に、ホルダーシート２の一端と他端とを留めることができるものであれば何を用いてもよいが、たとえば、面ファスナーを用いることができる。
握持部４は、ホルダーシート２を握持できるのであれば、どのように作成してもよいが
、たとえば、ホルダーシート２の一端と他端とを手が入る程度にくり貫くことによって作
成することができる。